(57)【要約】【課題】  複数の信号を時分割多重する場合に生じる多重タイミングのばらつきに起因する通信品質の低下を抑制することが可能な通信システムを提供する。【解決手段】  送信遅延補正信号生成回路１４は、送信信号ＳTXが含む第１のＯＦＤＭ信号の遅延プロファイルと、同じく送信信号ＳTXが含む第２のＯＦＤＭ信号の遅延プロファイルとを測定し、測定した２つの遅延プロファイルに基づき、多重部１３における多重タイミングのずれΔｔ時間を測定し、時間遅延補償信号ＳDCO(２)＝Δｔを、第２信号生成部１２に送信する。第２信号生成部１２は、受信した時間遅延補償信号ＳDCO(２)に基づき、第１のＯＦＤＭ信号ＳSO(１)の出力タイミングより、第２のＯＦＤＭ信号ＳSO(２)の出力タイミングをΔｔ時間だけ早くして、多重部１３での多重タイミングずれが補償された送信信号ＳTXを作成する。【選択図】      図１
2005033708.tif 000002
【特許請求の範囲】
【請求項１】
複数の信号生成部と、
前記複数の信号生成部のそれぞれが出力する信号を入力とし、該複数の信号を時分割多重した信号を送信信号として出力する多重部と、
前記多重部が出力する送信信号に基づき生成した補正信号を、前記複数の信号生成部のすべてまたは一部に出力する補正信号生成部とを含み、
前記複数の信号生成部は、前記補正信号が入力された際、該補正信号に基づき、前記複数の信号の前記多重部への入力タイミングのずれを補正する
ことを特徴とする送信装置。
【請求項２】
請求項１に記載の送信装置において、前記複数の信号生成部のそれぞれは、パイロットシンボルを含む信号を出力し、前記補正信号生成部は、前記送信信号が有する個々の信号が含んでいるパイロットシンボルに基づき生成した補正信号を、前記複数の信号生成部のすべてまたは一部に出力することを特徴とする送信装置。
【請求項３】
請求項２に記載の送信装置において、
前記補正信号生成部は、
前記送信信号が有する信号ごとに、該信号に含まれるパイロットシンボルに基づき、該信号に対応するチャネル推定を行い、該信号ごとのチャネル推定の結果を、該信号ごとのチャネル推定信号として出力するチャネル推定値生成部と、
前記チャネル推定値生成部が出力する、信号ごとのチャネル推定信号に基づき、該信号ごとに遅延プロファイルを生成し、生成した信号ごとの遅延プロファイルを、該信号ごとの遅延プロファイル信号として出力する遅延プロファイル生成部と、
前記遅延プロファイル生成部が出力する、信号ごとの遅延プロファイル信号に基づき、前記複数の信号の前記多重部への入力タイミングの時間差を補正するための時間遅延補正信号を生成し、生成した時間遅延補正信号を、前記複数の信号生成部のすべてまたは一部に出力する時間遅延推定部とを含み、
前記複数の信号生成部は、前記時間遅延補正信号が入力された際、該時間遅延補正信号に基づき、前記信号の出力タイミングを補正することにより、前記複数の信号の前記多重部への入力タイミングのずれを補正する
ことを特徴とする送信装置。
【請求項４】
請求項２に記載の送信装置において、
前記補正信号生成部は、
前記送信信号が有する信号ごとに、該信号に含まれるパイロットシンボルに基づき、該信号に対応するチャネル推定を行い、該信号ごとのチャネル推定の結果を、該信号ごとのチャネル推定信号として出力するチャネル推定値生成部と、
前記チャネル推定値生成部が出力する、信号ごとのチャネル推定信号に基づき、前記複数の信号の前記多重部への入力タイミングのずれに基づき発生する、前記複数の信号の位相変動量を補正するための位相変動量補正信号を生成し、生成した位相変動量補正信号を、前記複数の信号生成部のすべてまたは一部に出力する位相変動量推定部とを含み、
前記複数の信号生成部は、前記位相変動量補正信号が入力された際、該位相変動量補正信号に基づき、前記信号の位相を補正することにより、前記複数の信号の前記多重部への入力タイミングのずれを補正する
ことを特徴とする送信装置。
【請求項５】
請求項３に記載の送信装置において、
前記時間遅延推定部は、前記遅延プロファイル生成部が出力する、信号ごとの遅延プロファイル信号に基づき、前記送信信号に含まれる複数の信号の中の所定の信号が前記多重部に入力されるタイミングに対する、前記送信信号に含まれる複数の信号の中から前記所定の信号を除いた残りの信号が前記多重部に入力されるタイミングの遅延時間を検出し、検出した遅延時間を前記時間遅延補正信号とすることを特徴とする送信装置。
【請求項６】
請求項３に記載の送信装置において、
前記時間遅延推定部は、前記遅延プロファイル生成部が出力する、信号ごとの遅延プロファイル信号に基づき、所定のタイミングに対する、前記複数の信号が前記多重部に入力されるタイミングの遅延時間を検出し、検出した遅延時間を前記時間遅延補正信号とすることを特徴とする送信装置。
【請求項７】
請求項５または６に記載の送信装置において、
前記遅延プロファイル生成部は、
前記複数の信号に含まれるパイロットシンボルを、Ｍ（Ｍは、前記サブキャリアの数と同じ数）個のサンプルにシリアル／パラレル変換を行うシリアル／パラレル変換部と、
前記シリアル／パラレル変換部の出力信号の第Ｍ／２サンプルと第１＋Ｍ／２サンプルの間にＬ（Ｌは、１以上の整数）個のサンプル０を補間する０補間部と、
このＭ+Ｌサンプル毎に逆フーリエ変換を行って、Ｍ／（Ｍ+Ｌ）サンプルの解像度の遅延プロファイルを出力する逆フーリエ変換部と
を含むことを特徴とする送信装置。
【請求項８】
請求項４に記載の送信装置において、
前記複数の信号生成部のそれぞれは、複数のサブキャリアを有するＯＦＤＭ信号を出力し、
前記位相変動量推定部は、前記チャネル推定値生成部が出力する、ＯＦＤＭ信号ごとのチャネル推定信号に基づき、前記複数のＯＦＤＭ信号ごとのチャネル推定信号の中の所定のチャネル推定信号の位相に対する、前記複数のＯＦＤＭ信号のチャネル推定信号の中から前記所定のチャネル推定信号を除いた残りのチャネル推定信号のサブキャリアごとの位相変動量を検出し、検出したそれぞれの位相変動量を前記位相変動量補正信号とすることを特徴とする送信装置。
【請求項９】
請求項４に記載の送信装置において、
前記複数の信号生成部のそれぞれは、複数のサブキャリアを有するＯＦＤＭ信号を出力し、
前記位相変動量補正信号生成部は、位相基準値Ｑ（Ｑは０以上２π未満の任意の実数）に対する、前記複数のＯＦＤＭ信号のチャネル推定信号のそれぞれのサブキャリアごとの位相変動量を検出し、検出したそれぞれの位相変動量を前記位相変動量補正信号とすることを特徴とする送信装置。
【請求項１０】
請求項１ないし７のいずれかに記載の送信装置において、前記複数の信号生成部のそれぞれは、複数のサブキャリアを有するＯＦＤＭ信号を出力することを特徴とする送信装置。
【請求項１１】
請求項１ないし１０のいずれかに記載の送信装置と、前記送信装置が出力する送信信号を受信する受信装置とを含むことを特徴とする通信システム。
【請求項１２】
複数の信号生成部と、前記複数の信号生成部のそれぞれが出力する信号を入力とし、該複数の信号を時分割多重した信号を送信信号として出力する多重部とを含む送信装置から送信される前記送信信号を受信する受信装置であって、
前記送信装置が出力する送信信号を受信し、受信した送信信号を復調した復調信号を出力する復調部と、
前記復調部が出力する復調信号を入力とし、該入力された復調信号に対してシンボル判定を行い、該シンボル判定の結果を復調データ系列として出力するデータ再生部と、
前記復調部が出力する復調信号に基づき生成した補正信号を、前記復調部に出力する補正信号生成部とを含み、
前記復調部は、前記補正信号生成部が生成した補正信号に基づき、受信した送信信号が有する、前記複数の信号の前記多重部への入力タイミングのずれを補正する
ことを特徴とする受信装置。
【請求項１３】
請求項１２に記載の受信装置において、前記複数の信号生成部のそれぞれは、パイロットシンボルを含む信号を出力し、前記補正信号生成部は、前記受信した送信信号が有する個々の信号が含んでいるパイロットシンボルに基づき生成した補正信号を、前記復調部に出力することを特徴とする受信装置。
【請求項１４】
請求項１３に記載の受信装置において、
前記補正信号生成部は、
前記受信した送信信号が有する信号ごとに、該信号に含まれるパイロットシンボルに基づき、該信号に対応するチャネル推定を行い、該信号ごとのチャネル推定の結果を、該信号ごとのチャネル推定信号として出力するチャネル推定値生成部と、
前記チャネル推定値生成部が出力する、信号ごとのチャネル推定信号に基づき、該信号ごとに遅延プロファイルを生成し、生成した信号ごとの遅延プロファイルを、該信号ごとの遅延プロファイル信号として出力する遅延プロファイル生成部と、
前記遅延プロファイル生成部が出力する、信号ごとの遅延プロファイル信号に基づき、前記受信した送信信号が有する、前記複数の信号の前記多重部への入力タイミングの時間差を補正するための時間遅延補正信号を生成し、生成した時間遅延補正信号を、前記復調部に出力する時間遅延推定部とを含み、
前記復調部は、前記時間遅延補正信号が入力された際、該時間遅延補正信号に基づき、前記受信した送信信号が有する信号の出力タイミングを補正することにより、前記受信した送信信号が有する、前記複数の信号の前記多重部への入力タイミングのずれを補正する
ことを特徴とする受信装置。
【請求項１５】
請求項１３に記載の受信装置において、
前記補正信号生成部は、
前記受信した送信信号が有する信号ごとに、該信号に含まれるパイロットシンボルに基づき、該信号に対応するチャネル推定を行い、該信号ごとのチャネル推定の結果を、該信号ごとのチャネル推定信号として出力するチャネル推定値生成部と、
前記チャネル推定値生成部が出力する、信号ごとのチャネル推定信号に基づき、前記複数の信号の前記多重部への入力タイミングのずれに基づき発生する、前記受信した送信信号が有する複数の信号の位相変動量を補正するための位相変動量補正信号を生成し、生成した位相変動量補正信号を、前記復調部に出力する位相変動量推定部とを含み、
前記復調部は、前記位相変動量補正信号が入力された際、該位相変動量補正信号に基づき、前記受信した送信信号が有する信号の位相を補正することにより、前記受信した送信信号が有する、前記複数の信号の前記多重部への入力タイミングのずれを補正する
ことを特徴とする受信装置。
【請求項１６】
請求項１４に記載の受信装置において、
前記時間遅延推定部は、前記遅延プロファイル生成部が出力する、信号ごとの遅延プロファイル信号に基づき、前記受信した送信信号に含まれる複数の信号の中の所定の信号が前記多重部に入力されるタイミングに対する、前記受信した送信信号に含まれる複数の信号の中から前記所定の信号を除いた残りの信号が前記多重部に入力されるタイミングの遅延時間を検出し、検出した遅延時間を前記時間遅延補正信号とすることを特徴とする受信装置。
【請求項１７】
請求項１４に記載の受信装置において、
前記時間遅延推定部は、前記遅延プロファイル生成部が出力する、信号ごとの遅延プロファイル信号に基づき、所定のタイミングに対する、前記受信した送信信号に含まれる複数の信号が前記多重部に入力されるタイミングの遅延時間を検出し、検出した遅延時間を前記時間遅延補正信号とすることを特徴とする受信装置。
【請求項１８】
請求項１６または１７に記載の受信装置において、
前記遅延プロファイル生成部は、
前記複数の信号に含まれるパイロットシンボルを、Ｍ（Ｍは、前記サブキャリアの数と同じ数）個のサンプルにシリアル／パラレル変換を行うシリアル／パラレル変換部と、
前記シリアル／パラレル変換部の出力信号の第Ｍ／２サンプルと第１＋Ｍ／２サンプルの間にＬ（Ｌは、１以上の整数）個のサンプル０を補間する０補間部と、
このＭ+Ｌサンプル毎に逆フーリエ変換を行って、Ｍ／（Ｍ+Ｌ）サンプルの解像度の遅延プロファイルを出力する逆フーリエ変換部と
を含むことを特徴とする受信装置。
【請求項１９】
請求項１５に記載の受信装置において、
前記複数の信号生成部のそれぞれは、複数のサブキャリアを有するＯＦＤＭ信号を出力し、
前記位相変動量推定部は、前記チャネル推定値生成部が出力する、ＯＦＤＭ信号ごとのチャネル推定信号に基づき、前記受信した送信信号に含まれる複数のＯＦＤＭ信号ごとのチャネル推定信号の中の所定のチャネル推定信号の位相に対する、前記受信した送信信号に含まれる複数のＯＦＤＭ信号のチャネル推定信号の中から前記所定のチャネル推定信号を除いた残りのチャネル推定信号のサブキャリアごとの位相変動量を検出し、検出したそれぞれの位相変動量を前記位相変動量補正信号とすることを特徴とする受信装置。
【請求項２０】
請求項１５に記載の受信装置において、
前記複数の信号生成部のそれぞれは、複数のサブキャリアを有するＯＦＤＭ信号を出力し、
前記位相変動量補正信号生成部は、位相基準値Ｑ（Ｑは０以上２π未満の任意の実数）に対する、前記受信した送信信号に含まれる複数のＯＦＤＭ信号のチャネル推定信号のそれぞれのサブキャリアごとの位相変動量を検出し、検出したそれぞれの位相変動量を前記位相変動量補正信号とすることを特徴とする受信装置。
【請求項２１】
請求項１２ないし１８のいずれかに記載の受信装置において、前記複数の信号生成部のそれぞれは、複数のサブキャリアを有するＯＦＤＭ信号を出力することを特徴とする受信装置。
【請求項２２】
複数の信号生成部と、前記複数の信号生成部のそれぞれが出力する信号を入力とし、該複数の信号を時分割多重した信号を送信信号として出力する多重部とを含む送信装置と、請求項１２ないし２１のいずれかに記載の受信装置とを含むことを特徴する通信システム。
【請求項２３】
複数の信号生成部と、前記複数の信号生成部のそれぞれが出力する信号を入力とし、該複数の信号を時分割多重した信号を送信信号として出力する多重部とを含む送信装置が行う多重タイミング補償方法であって、
前記多重部が出力する送信信号に基づき生成した補正信号を、前記複数の信号生成部のすべてまたは一部に出力する補正信号生成ステップと、
前記補正信号生成ステップで出力する補正信号に基づき、前記複数の信号の前記多重部への入力タイミングのずれを補正する補正ステップと
を含むことを特徴とする多重タイミング補償方法。
【請求項２４】
請求項２３に記載の多重タイミング補償方法において、
前記複数の信号生成部のそれぞれは、パイロットシンボルを含む信号を出力し、前記補正信号生成ステップは、前記送信信号が有する個々の信号が含んでいるパイロットシンボルに基づき生成した補正信号を、前記複数の信号生成部のすべてまたは一部に出力することを特徴とする多重タイミング補償方法。
【請求項２５】
請求項２４に記載の多重タイミング補償方法において、
前記補正信号生成ステップは、
前記送信信号が有する信号ごとに、該信号に含まれるパイロットシンボルに基づき、該信号に対応するチャネル推定を行い、該信号ごとのチャネル推定の結果を、該信号ごとのチャネル推定信号として出力するチャネル推定値生成ステップと、
前記チャネル推定値生成ステップで出力する、信号ごとのチャネル推定信号に基づき、該信号ごとに遅延プロファイルを生成し、生成した信号ごとの遅延プロファイルを、該信号ごとの遅延プロファイル信号として出力する遅延プロファイル生成ステップと、
前記遅延プロファイル生成ステップで出力する、信号ごとの遅延プロファイル信号に基づき、前記複数の信号の前記多重部への入力タイミングの時間差を補正するための時間遅延補正信号を生成し、生成した時間遅延補正信号を、前記複数の信号生成部のすべてまたは一部に出力する時間遅延推定ステップとを含み、
前記補正ステップは、前記時間遅延補正信号に基づき、前記信号の出力タイミングを補正することにより、前記複数の信号の前記多重部への入力タイミングのずれを補正する
ことを特徴とする多重タイミング補償方法。
【請求項２６】
請求項２４に記載の多重タイミング補償方法において、
前記補正信号生成ステップは、
前記送信信号が有する信号ごとに、該信号に含まれるパイロットシンボルに基づき、該信号に対応するチャネル推定を行い、該信号ごとのチャネル推定の結果を、該信号ごとのチャネル推定信号として出力するチャネル推定値生成ステップと、
前記チャネル推定値生成ステップで出力する、信号ごとのチャネル推定信号に基づき、前記複数の信号の前記多重部への入力タイミングのずれに基づき発生する、前記複数の信号の位相変動量を補正するための位相変動量補正信号を生成し、生成した位相変動量補正信号を、前記複数の信号生成部のすべてまたは一部に出力する位相変動量推定ステップとを含み、
前記補正ステップは、前記位相変動量補正信号に基づき、前記信号生成部から出力される信号の位相を補正することにより、前記複数の信号の前記多重部への入力タイミングのずれを補正する
ことを特徴とする多重タイミング補償方法。
【請求項２７】
請求項２５に記載の多重タイミング補償方法において、
前記時間遅延推定ステップは、前記遅延プロファイル生成ステップで出力する、信号ごとの遅延プロファイル信号に基づき、前記送信信号に含まれる複数の信号の中の所定の信号が前記多重部に入力されるタイミングに対する、前記送信信号に含まれる複数の信号の中から前記所定の信号を除いた残りの信号が前記多重部に入力されるタイミングの遅延時間を検出し、検出した遅延時間を前記時間遅延補正信号とすることを特徴とする多重タイミング補償方法。
【請求項２８】
請求項２５に記載の多重タイミング補償方法において、
前記時間遅延推定ステップは、前記遅延プロファイル生成ステップで出力する、信号ごとの遅延プロファイル信号に基づき、所定のタイミングに対する、前記複数の信号が前記多重部に入力されるタイミングの遅延時間を検出し、検出した遅延時間を前記時間遅延補正信号とすることを特徴とする多重タイミング補償方法。
【請求項２９】
請求項２７または２８に記載の多重タイミング補償方法において、
前記遅延プロファイル生成ステップは、
前記複数の信号に含まれるパイロットシンボルを、Ｍ（Ｍは、前記サブキャリアの数と同じ数）個のサンプルにシリアル／パラレル変換を行うシリアル／パラレル変換ステップと、
前記シリアル／パラレル変換ステップでの出力信号の第Ｍ／２サンプルと第１＋Ｍ／２サンプルの間にＬ（Ｌは、１以上の整数）個のサンプル０を補間する０補間ステップと、
このＭ+Ｌサンプル毎に逆フーリエ変換を行って、Ｍ／（Ｍ+Ｌ）サンプルの解像度の遅延プロファイルを出力する逆フーリエ変換ステップと
を含むことを特徴とする多重タイミング補償方法。
【請求項３０】
請求項２６に記載の多重タイミング補償方法において、
前記複数の信号生成部のそれぞれは、複数のサブキャリアを有するＯＦＤＭ信号を出力し、
前記位相変動量推定ステップは、前記チャネル推定値生成ステップで出力する、ＯＦＤＭ信号ごとのチャネル推定信号に基づき、前記複数のＯＦＤＭ信号ごとのチャネル推定信号の中の所定のチャネル推定信号の位相に対する、前記複数のＯＦＤＭ信号のチャネル推定信号の中から前記所定のチャネル推定信号を除いた残りのチャネル推定信号のサブキャリアごとの位相変動量を検出し、検出したそれぞれの位相変動量を前記位相変動量補正信号とすることを特徴とする多重タイミング補償方法。
【請求項３１】
請求項２６に記載の多重タイミング補償方法において、
前記複数の信号生成部のそれぞれは、複数のサブキャリアを有するＯＦＤＭ信号を出力し、
前記位相変動量補正信号生成ステップは、位相基準値Ｑ（Ｑは０以上２π未満の任意の実数）に対する、前記複数のＯＦＤＭ信号のチャネル推定信号のそれぞれのサブキャリアごとの位相変動量を検出し、検出したそれぞれの位相変動量を前記位相変動量補正信号とすることを特徴とする多重タイミング補償方法。
【請求項３２】
請求項２３ないし２９のいずれかに記載の多重タイミング補償方法において、前記複数の信号生成部のそれぞれは、複数のサブキャリアを有するＯＦＤＭ信号を出力することを特徴とする多重タイミング補償方法。
【請求項３３】
複数の信号生成部と、前記複数の信号生成部のそれぞれが出力する信号を入力とし、該複数の信号を時分割多重し、該複数の信号を時分割多重した信号を送信信号として出力する多重部とを含む送信装置から送信される前記送信信号を受信し、受信した送信信号を復調した復調信号を出力する復調ステップと、
前記復調ステップで出力する復調信号を入力とし、該入力された復調信号に対してシンボル判定を行い、該シンボル判定の結果を復調データ系列として出力するデータ再生ステップと、
前記復調ステップが出力する復調信号に基づき、前記受信した送信信号が有する、前記複数の信号の前記多重部への入力タイミングのずれを補正するための補正信号を生成する補正信号生成ステップと、
前記補正信号生成ステップが生成した補正信号に基づき、受信した送信信号が有する、前記複数の信号の多重部への入力タイミングのずれを補正する補正ステップと
を含むことを特徴とする多重タイミング補償方法。
【請求項３４】
請求項３３に記載の多重タイミング補償方法において、
前記複数の信号生成部のそれぞれは、パイロットシンボルを含む信号を出力し、前記補正信号生成ステップは、前記受信した送信信号が有する個々の信号が含んでいるパイロットシンボルに基づき、前記受信した送信信号が有する、前記複数の信号の前記多重部への入力タイミングのずれを補正するための補正信号を生成することを特徴とする多重タイミング補償方法。
【請求項３５】
請求項３４に記載の多重タイミング補償方法において、
前記補正信号生成ステップは、
前記受信した送信信号が有する信号ごとに、該信号に含まれるパイロットシンボルに基づき、該信号に対応するチャネル推定を行い、該信号ごとのチャネル推定の結果を、該信号ごとのチャネル推定信号として出力するチャネル推定値生成ステップと、
前記チャネル推定値生成ステップで出力する、信号ごとのチャネル推定信号に基づき、該信号ごとに遅延プロファイルを生成し、生成した信号ごとの遅延プロファイルを、該信号ごとの遅延プロファイル信号として出力する遅延プロファイル生成ステップと、
前記遅延プロファイル生成ステップで出力する信号ごとの遅延プロファイル信号に基づき、前記受信した送信信号が有する、前記複数の信号の前記多重部への入力タイミングの時間差を補正するための時間遅延補正信号を生成する時間遅延推定ステップとを含み、
前記補正ステップは、前記時間遅延補正信号に基づき、前記受信した送信信号が有する信号の出力タイミングを補正することにより、前記受信した送信信号が有する、前記複数の信号の前記多重部への入力タイミングのずれを補正する
ことを特徴とする多重タイミング補償方法。
【請求項３６】
請求項３４に記載の多重タイミング補償方法において、
前記補正信号生成ステップは、
前記受信した送信信号が有する信号ごとに、該信号に含まれるパイロットシンボルに基づき、該信号に対応するチャネル推定を行い、該信号ごとのチャネル推定の結果を、該信号ごとのチャネル推定信号として出力するチャネル推定値生成ステップと、
前記チャネル推定値生成ステップで出力する、信号ごとのチャネル推定信号に基づき、前記複数の信号の前記多重部への入力タイミングのずれに基づき発生する、前記受信した送信信号が有する複数の信号の位相変動量を補正するための位相変動量補正信号を生成する位相変動量推定ステップとを含み、
前記補正ステップは、前記位相変動量補正信号に基づき、前記受信した送信信号が有する信号の位相を補正することにより、前記受信した送信信号が有する、前記複数の信号の前記多重部への入力タイミングのずれを補正する
ことを特徴とする多重タイミング補償方法。
【請求項３７】
請求項３５に記載の多重タイミング補償方法において、
前記時間遅延推定ステップは、前記遅延プロファイル生成ステップで出力する、信号ごとの遅延プロファイル信号に基づき、前記受信した送信信号に含まれる複数の信号の中の所定の信号が前記多重部に入力されるタイミングに対する、前記受信した送信信号に含まれる複数の信号の中から前記所定の信号を除いた残りの信号が前記多重部に入力されるタイミングの遅延時間を検出し、検出した遅延時間を前記時間遅延補正信号とすることを特徴とする多重タイミング補償方法。
【請求項３８】
請求項３５に記載の多重タイミング補償方法において、
前記時間遅延推定ステップは、前記遅延プロファイル生成ステップで出力する信号ごとの遅延プロファイル信号に基づき、所定のタイミングに対する、前記受信した送信信号に含まれる複数の信号が前記多重部に入力されるタイミングの遅延時間を検出し、検出した遅延時間を前記時間遅延補正信号とすることを特徴とする多重タイミング補償方法。
【請求項３９】
請求項３７または３８に記載の多重タイミング補償方法において、
前記遅延プロファイル生成ステップは、
前記複数の信号に含まれるパイロットシンボルを、Ｍ（Ｍは、前記サブキャリアの数と同じ数）個のサンプルにシリアル／パラレル変換を行うシリアル／パラレル変換ステップと、
前記シリアル／パラレル変換ステップでの出力信号の第Ｍ／２サンプルと第１＋Ｍ／２サンプルの間にＬ（Ｌは、１以上の整数）個のサンプル０を補間する０補間ステップと、
このＭ+Ｌサンプル毎に逆フーリエ変換を行って、Ｍ／（Ｍ+Ｌ）サンプルの解像度の遅延プロファイルを出力する逆フーリエ変換ステップと
を含むことを特徴とする多重タイミング補償方法。
【請求項４０】
請求項３６に記載の多重タイミング補償方法において、
前記複数の信号生成部のそれぞれは、複数のサブキャリアを有するＯＦＤＭ信号を出力し、
前記位相変動量推定ステップは、前記チャネル推定値生成ステップが出力する、ＯＦＤＭ信号ごとのチャネル推定信号に基づき、前記受信した送信信号に含まれる複数のＯＦＤＭ信号ごとのチャネル推定信号の中の所定のチャネル推定信号の位相に対する、前記受信した送信信号に含まれる複数のＯＦＤＭ信号のチャネル推定信号の中から前記所定のチャネル推定信号を除いた残りのチャネル推定信号のサブキャリアごとの位相変動量を検出し、検出したそれぞれの位相変動量を前記位相変動量補正信号とすることを特徴とする多重タイミング補償方法。
【請求項４１】
請求項３６に記載の多重タイミング補償方法において、
前記複数の信号生成部のそれぞれは、複数のサブキャリアを有するＯＦＤＭ信号を出力し、
前記位相変動量補正信号生成ステップは、位相基準値Ｑ（Ｑは０以上２π未満の任意の実数）に対する、前記受信した送信信号に含まれる複数のＯＦＤＭ信号のチャネル推定信号のそれぞれのサブキャリアごとの位相変動量を検出し、検出したそれぞれの位相変動量を前記位相変動量補正信号とすることを特徴とする多重タイミング補償方法。
【請求項４２】
請求項３３ないし３９のいずれかの多重タイミング補償方法において、前記複数の信号生成部のそれぞれは、複数のサブキャリアを有するＯＦＤＭ信号を出力することを特徴とする多重タイミング補償方法。
【発明の詳細な説明】
【技術分野】
【０００１】
本発明は、送信装置、受信装置、通信システムおよび多重タイミング補償方法に関し、特には、配線遅延等により発生する、複数の信号の多重部への入力タイミングのずれを制御する送信装置、受信装置、通信システムおよび信号の多重タイミング補償方法に関する。
【背景技術】
【０００２】
デジタルデータを伝送する方式として、ＯＦＤＭ（Orthogonal Frequency Division Multiplexing：直交周波数分割多重）方式が知られている。
【０００３】
ＯＦＤＭ方式は、所定の伝送帯幅内に、互いに直交する複数の搬送波（以下「サブキャリア」と称する。）を設け、逆フーリエ変換を用いることにより、それぞれのサブキャリアを、伝送すべきディジタル情報によって一括して変調（ＯＦＤＭ変調）を施し、変調を施したサブキャリアを合成、すなわち多重化し、多重化した信号（ＯＦＤＭ信号）を伝送する方式である。
【０００４】
ＯＦＤＭ方式では、ＯＦＤＭ変調が施されたＯＦＤＭ信号を復調するために、フーリエ変換が用いられる。ＯＦＤＭ方式では、例えば、フーリエ変換の開始タイミングを補正するための情報としても用いられるパイロットシンボル（パイロットサンプル）が、データシンボルの間に挿入される場合がある（特許文献１（特表２００３−５１０９５２号公報）参照）。
【０００５】
図１７は、特許文献１に記載されたＯＦＤＭ通信システムを説明するためのブロック図である。以下、図１７を参照して、特許文献１に記載されたＯＦＤＭ通信システムを簡単に説明する。なお、図１７に示したＯＦＤＭ通信システムでは、Ｎ個のサブキャリアを有するものとする。
【０００６】
図１７において、パイロットシンボル挿入器１０１は、データシンボルストリームを受信し、受信したデータシンボルストリームに対して一定の区間ごとにシンボル単位でパイロットシンボルを挿入する。
【０００７】
直列／並列変換器１０３は、パイロットシンボル挿入器１０１から出力されたシンボルをＮ個のサンプルに分離し、分離したサンプルを並列に逆高速フーリエ変換器（以下「ＩＦＦＴ」と称する。）１０５へ供給する。
【０００８】
ＩＦＦＴ１０５は、直列／並列変換器１０３から出力されるＮ個のサンプルを受信し、逆高速フーリエ変換（以下「逆フーリエ変換」と称する）、すなわち、ＯＦＤＭ変調を遂行して、ＯＦＤＭシンボルを生成し、生成したＯＦＤＭシンボルをガードインターバル（以下「ＧＩ」と称する。）挿入器１０７へ出力する。
【０００９】
ＧＩ挿入器１０７は、ＯＦＤＭシンボルの前段にガードインターバルを挿入し、ＯＦＤＭ信号を生成する。
【００１０】
ディジタル／アナログ変換器（以下「ＤＡＣ」と称する)１０９は、ＧＩ挿入器１０７から出力されるＯＦＤＭ信号をアナログ形態のＯＦＤＭ送信信号へ変換し、アナログ形態のＯＦＤＭ送信信号を送信する。
【００１１】
送信されたＯＦＤＭ送信信号は、アナログ／ディジタル変換器（以下「ＡＤＣ」と称する)１１１で受信される。
【００１２】
ＡＤＣ１１１は、受信したＯＦＤＭ送信信号を、ＧＩおよびＮ個のＯＦＤＭサンプルで構成されたディジタル形態のＯＦＤＭ信号へ変換し、ディジタル形態のＯＦＤＭ信号をＧＩ除去器１１２へ出力する。
【００１３】
ＧＩ除去器１１２は、入力されるＯＦＤＭ信号に含まれているＧＩを除去し、Ｎ個のＯＦＤＭサンプルで構成されたＯＦＤＭシンボルを出力する。
【００１４】
ＡＤＣ１１１およびＧＩ除去器１１２は、所定のタイミングエラー推定信号によって動作する。
【００１５】
高速フーリエ変換器（以下「ＦＦＴ」と称する)１１４は、Ｎ個のＯＦＤＭサンプルで構成されたＯＦＤＭシンボルを受信して、受信したＮ個のＯＦＤＭサンプルに対して高速フーリエ変換（以下「フーリエ変換」と称する）、すなわち、ＯＦＤＭ復調を遂行し、復調したＮ個のサンプルを出力する。
【００１６】
ＦＦＴ１１４から出力されたＮ個のサンプルは、並列／直列変換器１１５によってシンボルに変換された後、パイロットシンボル検出器１１６へ提供される。
【００１７】
パイロットシンボル検出器１１６は、並列／直列変換器１１５から出力されたシンボルの中からパイロットシンボルを検出し、検出したパイロットシンボルをタイミング補償器１１７へ出力し、かつ、パイロットシンボルを除去したシンボル、すなわちデータシンボルを出力する。
【００１８】
タイミング補償器１１７は、パイロットシンボル検出器１１６からパイロットシンボルを受信すると、受信したパイロットシンボルに基づきタイミングエラーを求め、求められたタイミングエラーを補償した後、ＡＤＣ１１１およびＧＩ除去器１１２へタイミングエラー推定信号を出力する。
【００１９】
以下、タイミング補償器１１７について説明する。
【００２０】
タイミング補償器１１７は、パイロットシンボル検出器１１６によって検出されたパイロットシンボルの位相と、予め知られている基準位相との差を求めた後、その値の変化率を利用してタイミングエラーを推定する。なお、パイロットシンボルから遅延プロファイルを測定し、測定した遅延プロファイルに基づき、タイミングエラーの推定を行う技術が、知られている。
【００２１】
ＯＦＤＭ方式で情報を送信する送信装置の中には、装置の実装の都合上、複数のＯＦＤＭ信号をアナログ的に多重、具体的には時分割多重し、時分割多重した信号を受信装置に送信する送信装置がある。
【００２２】
図１８は、多重化したＯＦＤＭ信号を用いて通信を行う送信装置と受信装置とを示したブロック図である。
【００２３】
図１８において、送信装置１２０１は、第１の信号生成部１０３と、第２の信号生成部１０４と、多重部１０５とを含む。なお、図１８では、信号生成部を２台しか示していないが、信号生成部は２台に限らず、２台より多い場合もある。
【００２４】
第１の信号生成部１０３は、第１のＯＦＤＭ信号ＳSO(１)を生成する。また、第２の信号生成部１０４は、第２のＯＦＤＭ信号ＳSO(２)を生成する。なお、第１のＯＦＤＭ信号ＳSO(１)の複数のサブキャリア（搬送波）は、第２のＯＦＤＭ信号ＳSO(２)の複数のサブキャリア（搬送波）と、同一であるものとする。
【００２５】
多重部１０５は、第１のＯＦＤＭ信号ＳSO(１)と第２のＯＦＤＭ信号ＳSO(２)とをアナログ的に多重する。具体的には、多重部１０５は、第１のＯＦＤＭ信号ＳSO(１)と第２のＯＦＤＭ信号ＳSO(２)とを、時分割多重する。多重部１０５は、時分割多重した信号を、送信信号ＳTXとして送信する。なお、多重部１０５は、入力される複数の信号を共通のタイミングで読み込み、共通のタイミングで読み込んだ複数の信号を時分割多重する。
【００２６】
受信装置１２０２は、復調部１０７と、データ再生部１０８とを含む。
【００２７】
復調部１０７は、送信信号ＳTXに対応する受信信号ＳRXを受信し、受信した受信信号ＳRXに対してＯＦＤＭ復調を施し、復調信号ＳDMOを出力する。
【００２８】
データ再生部１０８は、復調信号ＳDMOに対してシンボル判定を行い、シンボル判定結果を復調データ系列ＳRDATとして出力する。
【特許文献１】特表２００３−５１０９５２号公報
【発明の開示】
【発明が解決しようとする課題】
【００２９】
しかしながら、複数のＯＦＤＭ信号をアナログ的に多重、具体的には時分割多重する場合、複数のＯＦＤＭ信号が多重部に入力されるタイミングに、ばらつきが生じる場合がある。このばらつきは、例えば、ＯＦＤＭ信号を生成する信号生成部と多重部との間に介在するケーブルの長さの違いや、信号生成部の個体差等に基づき発生する。
【００３０】
複数のＯＦＤＭ信号が多重部に入力されるタイミングにばらつきが生じると、多重部による多重タイミングがずれてしまうという問題が生じる。
【００３１】
図１９と図２０は、多重部による多重タイミングのずれを説明するための説明図である。なお、図１９と図２０において、図１８で示したものと同一のものには同一符号を附してある。
【００３２】
図１９は、第２の信号生成部１０４から出力された第２のＯＦＤＭ信号ＳSO(２)が、第１の信号生成部１０３から出力された第１のＯＦＤＭ信号ＳSO(１)よりΔｔだけ遅れて多重部１０５に供給された場合に、多重部１０５が出力する時分割多重信号１０５ａの状態を示した図である。
【００３３】
図２０は、第２の信号生成部１０４から出力された第２のＯＦＤＭ信号ＳSO(２)が、第１の信号生成部１０３から出力された第１のＯＦＤＭ信号ＳSO(１)と同時に多重部１０５に供給された場合に、多重部１０５が出力する時分割多重信号１０５ｂの状態を示した図である。
【００３４】
図１９に示された時分割多重信号１０５ａに含まれる第２のＯＦＤＭ信号ＳSO(２)は、図２０に示された時分割多重信号１０５ｂに含まれる第２のＯＦＤＭ信号ＳSO(２)より、第１のＯＦＤＭ信号ＳSO(１)に対してΔｔだけ遅れた信号になっている。
【００３５】
よって、図２０に示された時分割多重信号１０５ｂに含まれる第２のＯＦＤＭ信号ＳSO(２)を復調してデータを取得する場合、Δｔに起因するデータ取得誤りが発生する可能性が生じる。データ取得誤りが発生すると、通信品質が低下してしまう。
【００３６】
なお、多重部による多重タイミングのばらつきに起因する通信品質の低下は、ＯＦＤＭ信号を時分割多重する際にのみ発生する問題ではなく、多重部で複数の信号を時分割多重する際に発生する問題である。
【００３７】
本発明の目的は、複数の信号を時分割多重する場合に生じる可能性のある多重タイミングのばらつきに起因する通信品質の低下を抑制することが可能な送信装置、受信装置、通信システムおよび信号の多重タイミング補償方法を提供することである。
【課題を解決するための手段】
【００３８】
上記課題を解決するために、本発明のＭ送信装置は、複数の信号生成部と、前記複数の信号生成部のそれぞれが出力する信号を入力とし、該複数の信号を時分割多重した信号を送信信号として出力する多重部と、前記多重部が出力する送信信号に基づき生成した補正信号を、前記複数の信号生成部のすべてまたは一部に出力する補正信号生成部とを含み、前記複数の信号生成部は、前記補正信号が入力された際、該補正信号に基づき、前記複数の信号の前記多重部への入力タイミングのずれを補正することを特徴とする。
【００３９】
また、本発明の送信装置は、前記複数の信号生成部のそれぞれが、パイロットシンボルを含む信号を出力し、前記補正信号生成部は、前記送信信号が有する個々の信号が含んでいるパイロットシンボルに基づき生成した補正信号を、前記複数の信号生成部のすべてまたは一部に出力することを特徴とする。
【００４０】
また、本発明の送信装置は、前記複数の信号生成部のそれぞれが、複数のサブキャリアを有するＯＦＤＭ信号を出力することを特徴とする。
【００４１】
また、本発明の通信システムは、前記送信装置と、前記送信装置が出力する送信信号を受信する受信装置とを含むことを特徴とする。
【００４２】
また、本発明の受信装置は、複数の信号生成部と、前記複数の信号生成部のそれぞれが出力する信号を入力とし、該複数の信号を時分割多重した信号を送信信号として出力する多重部とを含む送信装置から送信される前記送信信号を受信する受信装置であって、前記送信装置が出力する送信信号を受信し、受信した送信信号を復調した復調信号を出力する復調部と、前記復調部が出力する復調信号を入力とし、該入力された復調信号に対してシンボル判定を行い、該シンボル判定の結果を復調データ系列として出力するデータ再生部と、前記復調部が出力する復調信号に基づき生成した補正信号を、前記復調部に出力する補正信号生成部とを含み、前記復調部は、前記補正信号生成部が生成した補正信号に基づき、受信した送信信号が有する、前記複数の信号の前記多重部への入力タイミングのずれを補正することを特徴とする。
【００４３】
また、本発明の受信装置は、前記複数の信号生成部のそれぞれが、パイロットシンボルを含む信号を出力し、前記補正信号生成部は、前記受信した送信信号が有する個々の信号が含んでいるパイロットシンボルに基づき生成した補正信号を、前記復調部に出力することを特徴とする。
【００４４】
また、本発明の受信装置は、前記複数の信号生成部のそれぞれは、複数のサブキャリアを有するＯＦＤＭ信号を出力することを特徴とする。
【００４５】
また、本発明の通信システムは、複数の信号生成部と、前記複数の信号生成部のそれぞれが出力する信号を入力とし、該複数の信号を時分割多重した信号を送信信号として出力する多重部とを含むＯＦＤＭ送信装置と、前記ＯＦＤＭ受信装置とを含むことを特徴する。
【００４６】
また、本発明の多重タイミング補償方法は、複数の信号生成部と、前記複数の信号生成部のそれぞれが出力する信号を入力とし、該複数の信号を時分割多重した信号を送信信号として出力する多重部とを含む送信装置が行う多重タイミング補償方法であって、前記多重部が出力する送信信号に基づき生成した補正信号を、前記複数の信号生成部のすべてまたは一部に出力する補正信号生成ステップと、前記補正信号生成ステップで出力する補正信号に基づき、前記複数の信号の前記多重部への入力タイミングのずれを補正する補正ステップとを含むことを特徴とする。
【００４７】
また、本発明の多重タイミング補償方法は、複数の信号生成部と、前記複数の信号生成部のそれぞれが出力する信号を入力とし、該複数の信号を時分割多重し、該複数の信号を時分割多重した信号を送信信号として出力する多重部とを含む送信装置から送信される前記送信信号を受信し、受信した送信信号を復調した復調信号を出力する復調ステップと、前記復調ステップで出力する復調信号を入力とし、該入力された復調信号に対してシンボル判定を行い、該シンボル判定の結果を復調データ系列として出力するデータ再生ステップと、前記復調ステップが出力する復調信号に基づき、前記受信した送信信号が有する、前記複数の信号の前記多重部への入力タイミングのずれを補正するための補正信号を生成する補正信号生成ステップと、前記補正信号生成ステップが生成した補正信号に基づき、受信した送信信号が有する、前記複数の信号の多重部への入力タイミングのずれを補正する補正ステップとを含むことを特徴とする。
【００４８】
また、本発明の多重タイミング補償方法は、前記複数の信号生成部のそれぞれが、パイロットシンボルを含む信号を出力し、前記補正信号生成ステップは、前記送信信号が有する個々の信号が含んでいるパイロットシンボルに基づき生成した補正信号を、前記複数の信号生成部のすべてまたは一部に出力することを特徴とする。
【００４９】
また、本発明の多重タイミング補償方法は、前記複数の信号生成部のそれぞれが、複数のサブキャリアを有するＯＦＤＭ信号を出力することを特徴とする。
【発明の効果】
【００５０】
本発明によれば、複数の信号の多重部への入力タイミングのずれを、送信装置において、または受信装置において、補償することができ、複数の信号の多重部への入力タイミングのずれに基づく通信品質の低下を防止することが可能となる。
【００５１】
また、多重化された複数の信号に含まれるパイロットシンボルに基づき、複数の信号の多重部への入力タイミングのずれを補正するための補正信号を生成するので、既存のパイロットシンボルを用いて補正信号を生成することが可能となる。
【００５２】
また、複数の信号生成部のそれぞれが、複数のサブキャリアを有するＯＦＤＭ信号を出力する場合、複数のＯＦＤＭ信号の多重部への入力タイミングのずれを、ＯＦＤＭ送信装置において、またはＯＦＤＭ受信装置において、補償することができ、複数のＯＦＤＭ信号の多重部への入力タイミングのずれに基づく通信品質の低下を防止することが可能となる。
【００５３】
また、多重化された複数のＯＦＤＭ信号に含まれるパイロットシンボルに基づき、複数のＯＦＤＭ信号の多重部への入力タイミングのずれを補正するための補正信号を生成するので、既存のパイロットシンボルを用いて補正信号を生成することが可能となる。
【発明を実施するための最良の形態】
【００５４】
以下、図面を参照して、本発明の実施例を具体的に説明する。
【００５５】
図１は、本発明の一実施例のＯＦＤＭ通信システムを示すブロック図である。
【００５６】
図１において、ＯＦＤＭ通信システムは、ＯＦＤＭ送信装置１と、ＯＦＤＭ受信装置２とを含む。
【００５７】
ＯＦＤＭ送信装置１は、第１信号生成部１１と、第２信号生成部１２と、多重部１３と、送信遅延補正信号生成回路１４とを含む。
【００５８】
なお、本実施例では、複数の信号生成部として、２つの信号発生部としているが、複数の信号発生部は、２つの信号発生部に限らず、適宜変更可能である。
【００５９】
第１信号生成部１１は、所定の間隔でパイロットシンボルが挿入されている第１のＯＦＤＭ信号ＳSO(１)を出力する。第１信号生成部１１は、送信遅延補正信号生成回路１４が出力する補償信号ＳDCO(１)に基づき、第１のＯＦＤＭ信号ＳSO(１)を制御する。
【００６０】
第２信号生成部１２は、所定の間隔でパイロットシンボルが挿入されている第２のＯＦＤＭ信号ＳSO(２)を出力する。第２信号生成部１２は、送信遅延補正信号生成回路１４が出力する補償信号ＳDCO(２)に基づき、第２のＯＦＤＭ信号ＳSO(２)を制御する。
【００６１】
なお、第１のＯＦＤＭ信号Ｓso(１)の複数のサブキャリア（搬送波）は、第２のＯＦＤＭ信号Ｓso(２)の複数のサブキャリア（搬送波）と同一である。また、第１のＯＦＤＭ信号Ｓso(１)と第２のＯＦＤＭ信号Ｓso(２)とは、初期段階では、同じタイミングで出力される。
【００６２】
多重部１３は、第１のＯＦＤＭ信号ＳSO(１)と第２のＯＦＤＭ信号ＳSO(２)とを、アナログ的に多重、具体的には、時分割多重する。多重部１３は、時分割多重した信号を、送信信号ＳTXとして送信する。なお、多重部１３は、入力される複数の信号を共通のタイミングで読み込み、共通のタイミングで読み込んだ複数の信号を時分割多重する。
【００６３】
補正信号生成部としての送信遅延補正信号生成回路１４は、多重部１３が出力する送信信号ＳTXに基づき、複数のＯＦＤＭ信号の多重部１３への入力タイミングのずれを補正するための補償信号（補正信号）ＳDCOを生成する。
【００６４】
具体的には、送信遅延補正信号生成回路１４は、送信信号ＳTXが有する複数のＯＦＤＭ信号のそれぞれが含んでいるパイロットシンボルに基づき、該複数のＯＦＤＭ信号のそれぞれの遅延プロファイルを生成し、生成した複数の遅延プロファイルに基づき、該複数のＯＦＤＭ信号の多重部１３への入力タイミングのずれを補正するための補償信号ＳDCOを生成する。
【００６５】
本実施例のように複数のＯＦＤＭ信号が２つのＯＦＤＭ信号である場合は、送信遅延補正信号生成回路１４は、第１のＯＦＤＭ信号ＳSO(１)が含んでいるパイロットシンボルに基づき、第１のＯＦＤＭ信号ＳSO(１)の遅延プロファイルを生成し、さらに、送信信号ＳTXが有する第２のＯＦＤＭ信号ＳSO(２)が含んでいるパイロットシンボルに基づき、第２のＯＦＤＭ信号ＳSO(２)の遅延プロファイルを生成する。
【００６６】
送信遅延補正信号生成回路１４は、第１のＯＦＤＭ信号ＳSO(１)の遅延プロファイルと第２のＯＦＤＭ信号ＳSO(２)の遅延プロファイルとに基づき、第１のＯＦＤＭ信号ＳSO(１)と第２のＯＦＤＭ信号ＳSO(２)とのＯＦＤＭ信号の多重部１３への入力タイミングのずれを補正するための補償信号ＳDCOを生成する。
【００６７】
なお、複数のＯＦＤＭ信号の多重部１３への入力タイミングのずれは、複数のＯＦＤＭ信号のそれぞれが、各信号生成部から多重部へと送信される間に発生する遅延の差に依存する。
【００６８】
例えば、本実施例のように複数のＯＦＤＭ信号が２つの場合、複数のＯＦＤＭ信号の多重部１３への入力タイミングのずれは、第１のＯＦＤＭ信号ＳSO(１)が第１信号生成部１１から多重部１０５へと送信される間に発生する遅延と、第２のＯＦＤＭ信号ＳSO(２)が第２信号生成部１２から多重部１０５へと送信される間に発生する遅延との差に依存する。
【００６９】
送信遅延補正信号生成回路１４は、生成した補償信号を、複数の信号生成部、本実施例では、第１信号生成部１１と第２信号生成部１２１とのすべてまたは一部に出力する。
【００７０】
ＯＦＤＭ受信装置２は、復調部２１と、データ再生部２２とを含む。
【００７１】
復調部２１は、送信信号ＳTXに対応した受信信号ＳRXを受信し、受信信号ＳRXを入力としてＯＦＤＭ復調を行い、ＯＦＤＭ復調により生成された復調信号ＳDMOを出力する。
【００７２】
データ再生部２２は、復調信号ＳDMOに対してシンボル判定を行い、シンボル判定結果を復調データ系列ＳRDATとして出力する。
【００７３】
図２は、第１信号生成部１１の一例を示したブロック図である。なお、第２信号生成部１２の構成は第１信号生成部１１と同様の構成なので、第２信号生成部１２の説明は割愛する。
【００７４】
図２において、第１信号生成部１１は、送信系列作成部１１ａと、シリアル／パラレル変換部１１ｂと、逆高速フーリエ変換部（以下「ＩＦＦＴ」と称する。）１１ｃと、ガードインターバル（以下「ＧＩ」と称する。）付加部１１ｄとを含む。
【００７５】
送信系列作成部１１ａは、複数のデータシンボルが直列に並んだデータシンボルストリームに対して一定の区間ごとにパイロットシンボルが挿入されたデータシンボルストリームＳTDATを作成し、作成したデータシンボルストリームＳTDATをシリアル／パラレル変換部１１ｂに出力する。
【００７６】
また、送信系列作成部１１ａは、送信遅延補正信号生成回路１４から出力された補償信号ＳDCOに基づき、複数のＯＦＤＭ信号の多重部１３への入力タイミングのずれを補正するようにデータシンボルストリームＳTDATを制御する。
【００７７】
例えば、送信系列作成部１１ａは、補償信号ＳDCOに基づき、複数のＯＦＤＭ信号の多重部１３への入力タイミングのずれを時間軸上で補正するようにデータシンボルストリームＳTDATの出力タイミングを補正する。
【００７８】
シリアル／パラレル変換部１１ｂは、送信系列作成部１１ａが出力するデータシンボルストリームＳTDATの個々のシンボルを、ＯＦＤＭ信号のサブキャリア数Ｍと同じＭ個のサンプルに分離し、分離したＭ個のサンプルＳPDAT(１)〜ＳPDAT(Ｍ)を並列に出力する。
【００７９】
ＩＦＦＴ１１ｃは、シリアル／パラレル変換部１１ｂから出力されるＭ個のサンプルＳPDAT(１)〜ＳPDAT(Ｍ)を逆高速フーリエ変換（以下「逆フーリエ変換」と称する。）、すなわち、ＯＦＤＭ変調して、ＯＦＤＭシンボルＳIFFTOを生成し、生成したＯＦＤＭシンボルＳIFFTOをＧＩ付加部１１ｄへ出力する。
【００８０】
ＧＩ付加部１１ｄは、ＯＦＤＭシンボルＳIFFTOの前段にガードインターバルを挿入し、ガードインターバルが挿入されたＯＦＤＭシンボルＳIFFTOを、ＯＦＤＭ信号ＳSO(１)として出力する。
【００８１】
図３は、送信遅延補正信号生成回路１４の一例を示したブロック図である。
【００８２】
図３において、送信遅延補正信号生成回路１４は、チャネル推定値測定部１４ａと、遅延プロファイル測定部１４ｂと、時間遅延推定部１４ｃとを含む。
【００８３】
チャネル推定値測定部１４ａは、送信信号ＳTXが有するＯＦＤＭ信号ごとに、該ＯＦＤＭ信号に含まれるパイロットシンボルに基づき、該ＯＦＤＭ信号に対応するチャネル推定を行い、該チャネル推定の結果をチャネル推定信号ＳCEOとして出力する。
【００８４】
具体的には、チャネル推定値測定部１４ａは、送信信号ＳTXが有する第１のＯＦＤＭ信号ＳSO(１)が含んでいるパイロットシンボルを検出し、検出したパイロットシンボルに基づき、第１のＯＦＤＭ信号ＳSO(１) に対応するチャネル推定を行い、該チャネル推定の結果を第１のチャネル推定信号ＳCEO(１)として出力する。
【００８５】
また、チャネル推定値測定部１４ａは、送信信号ＳTXが有する第２のＯＦＤＭ信号ＳSO(２)が含んでいるパイロットシンボルを検出し、検出したパイロットシンボルに基づき、第２のＯＦＤＭ信号ＳSO(２) に対応するチャネル推定を行い、該チャネル推定の結果を第２のチャネル推定信号ＳCEO(２)として出力する。
【００８６】
遅延プロファイル測定部１４ｂは、チャネル推定値測定部１４ａが出力する、ＯＦＤＭ信号ごとのチャネル推定信号ＳCEOに基づき、該ＯＦＤＭ信号ごとに遅延プロファイルを生成し、生成した遅延プロファイルを遅延プロファイル信号ＳDPOとして出力する。
【００８７】
具体的には、遅延プロファイル測定部１４ｂは、第１のチャネル推定信号ＳCEO(１)に基づき、第１のＯＦＤＭ信号ＳSO(１) に対応する遅延プロファイル信号ＳDPO(１)を生成し、第２のチャネル推定信号ＳCEO(２)に基づき、第２のＯＦＤＭ信号ＳSO(２) に対応する遅延プロファイル信号ＳDPO(２)を生成する。
【００８８】
時間遅延推定部１４ｃは、遅延プロファイル測定部１４ｂが出力する、ＯＦＤＭ信号ごとの遅延プロファイル信号ＳDPOに基づき、複数のＯＦＤＭ信号の多重部１３への入力タイミングの時間差を検出し、検出した時間差を、複数のＯＦＤＭ信号の多重部１３への入力タイミングの時間差を補正するための時間遅延補正信号ＳDCOとし、この時間遅延補正信号ＳDCOを、複数の信号生成部としての第１信号生成部１１および第２信号生成部１２のすべてまたは一部に出力する。
【００８９】
図４は、チャネル推定値測定部１４ａの一例を示したブロック図である。
【００９０】
図４において、チャネル推定値測定部１４ａは、ＦＦＴ１４ａ１と、パラレル／シリアル変換部１４ａ２とを含む。
【００９１】
ＦＦＴ１４ａ１は、送信信号ＳTXが有するＯＦＤＭ信号に含まれるパイロットシンボルが存在している期間の間、送信信号ＳTXをフーリエ変換する。つまり、ＦＦＴ１４ａ１は、送信信号ＳTXが有するＯＦＤＭ信号に含まれるパイロットシンボルをフーリエ変換する。
【００９２】
なお、パイロットシンボルが存在している期間は予め定まっており、また、多重部１３の多重タイミングのずれは、パイロットシンボルに付与されたガードインターバルによって補償されるので、ＦＦＴ１４ａ１は、送信信号ＳTXが有するＯＦＤＭ信号に含まれるパイロットシンボルをフーリエ変換することができる。
【００９３】
パラレル／シリアル変換部１４ａ２は、ＦＦＴ１４ａの出力をパラレル／シリアル変換し、直列に並べたＦＦＴ１４ａの出力を、チャネル推定信号ＳCEOとして出力する。なお、第１のＯＦＤＭ信号ＳSO(１)に含まれるパイロットシンボルに基づいて生成されたチャネル推定信号ＳCEOは、第１のチャネル推定信号ＳCEO(１)となり、第２のＯＦＤＭ信号ＳSO(２)に含まれるパイロットシンボルに基づいて生成されたチャネル推定信号ＳCEOは、第２のチャネル推定信号ＳCEO(２)となる。
【００９４】
図５は、遅延プロファイル測定部１４ｂの一例を示したブロック図である。
【００９５】
図５において、遅延プロファイル測定部１４ｂは、シリアル／パラレル変換部１４ｂ１と、０補間部１４ｂ２と、ＩＦＦＴ１４ｂ３とを含む。
【００９６】
シリアル／パラレル変換部１４ｂ１は、チャネル推定信号ＳCEOを、Ｍ個のパラレルデータ信号ＳIFFTI(１)〜ＳIFFTI(Ｍ)に変換する。
【００９７】
０補間部１４ｂ２は、パラレルデータ信号ＳIFFTI(１)〜ＳIFFTI(Ｍ)の中のＳIFFTI(Ｍ／２)とＳIFFTI(Ｍ／２＋１)の間にＬ（Ｌは１以上の整数）個の０を補間し、Ｍ＋Ｌ個の逆フーリエ変換部入力信号ＳIFFTI(１)〜ＳIFFTI(Ｍ＋Ｌ)を作成する。
【００９８】
なお、本実施例では、図４に示したパラレル／シリアル変換部１４ａ２と、図５に示したシリアル／パラレル変換部１４ｂ１とを用いているが、図４に示したパラレル／シリアル変換部１４ａ２と、図５に示したシリアル／パラレル変換部１４ｂ１とを省略して、図４に示したＦＦＴ１４ａ１の出力を、ＩＦＦＴ１４ｂ３の入力としてもよい。
【００９９】
図６は、０補間部１４ｂ２の処理を説明するための説明図である。具体的には、図６（ａ）は、０補間部１４ｂ２により０が補間される前のＭ個のパラレルデータ信号ＳIFFTI(１)〜ＳIFFTI(Ｍ)を周波数軸上に並べた説明図である。図６（ｂ）は、０補間部１４ｂ２により０が補間された後のＭ+Ｌ個の逆フーリエ変換部入力信号ＳIFFTI(１)〜ＳIFFTI(Ｍ＋Ｌ)を周波数軸上に並べた説明図である。
【０１００】
図５に戻って、ＩＦＦＴ１４ｂ３は、逆フーリエ変換部入力信号ＳIFFTI(１)〜ＳIFFTI(Ｍ＋Ｌ)を逆フーリエ変換し、Ｍ／（Ｍ+Ｌ）サンプルの解像度で検出された遅延プロファイル信号ＳDPOを出力する。
【０１０１】
なお、第１のチャネル推定信号ＳCEO(１)に基づいて生成された遅延プロファイル信号ＳDPOは、遅延プロファイル信号ＳDPO(１）となり、第２のチャネル推定信号ＳCEO(２)に基づいて生成された遅延プロファイル信号ＳDPOは、遅延プロファイル信号ＳDPO(２）となる。
【０１０２】
次に、動作を説明する。
【０１０３】
図７および図８は、第１のＯＦＤＭ信号ＳSO(１)と第２のＯＦＤＭ信号ＳSO(２)との多重部１３への入力タイミングのずれを、時間軸上で補償する動作を説明するための説明図である。なお、図７および図８において、前図と同一のものには、同一符号を附してある。
【０１０４】
第１信号生成部１１から出力される第１のＯＦＤＭ信号ＳSO(１)と、第２信号生成部１２から出力される第２のＯＦＤＭ信号ＳSO(２)とが、同じタイミングで出力されても、第１のＯＦＤＭ信号ＳSO(１)が伝送されるケーブル線の長さと、第２のＯＦＤＭ信号ＳSO(２)が伝送されるケーブル線の長さとの違い等により、第１のＯＦＤＭ信号ＳSO(１)が多重部１３に入力されるタイミングと、第２のＯＦＤＭ信号ＳSO(２)が多重部１３に入力されるタイミングとが異なる場合がある。
【０１０５】
例えば、図７に示すように、第２のＯＦＤＭ信号ＳSO(２)が多重部１３に入力されるタイミングが、第１のＯＦＤＭ信号ＳSO(１)が多重部１３に入力されるタイミングより、Δｔ時間遅れる場合、多重部１３における多重タイミングがΔｔ時間ずれる。この場合、多重部１３が出力する送信信号ＳTXに含まれる第２のＯＦＤＭ信号ＳSO(２)は、Δｔ時間の遅れがない場合に比べてΔｔ時間遅れる。
【０１０６】
送信遅延補正信号生成回路１４は、第１のＯＦＤＭ信号ＳSO(１)の遅延プロファイルと、第２のＯＦＤＭ信号ＳSO(２)の遅延プロファイルとを測定し、測定した２つの遅延プロファイルに基づき、多重部１３における多重タイミングのずれΔｔ時間を測定し、時間補償信号ＳDCO(２)＝Δｔを、第２信号生成部１２に送信する。
【０１０７】
具体的には、送信遅延補正信号生成回路１４内のチャネル推定値測定部１４ａが、送信信号ＳTXが有する第１のＯＦＤＭ信号ＳSO(１)が含んでいるパイロットシンボルを検出し、検出したパイロットシンボルに基づき、第１のＯＦＤＭ信号ＳSO(１) に対応するチャネル推定を行い、該チャネル推定の結果を第１のチャネル推定信号ＳCEO(１)として出力する。
【０１０８】
また、チャネル推定値測定部１４ａは、送信信号ＳTXが有する第２のＯＦＤＭ信号ＳSO(２)が含んでいるパイロットシンボルを検出し、検出したパイロットシンボルに基づき、第２のＯＦＤＭ信号ＳSO(２) に対応するチャネル推定を行い、該チャネル推定の結果を第２のチャネル推定信号ＳCEO(２)として出力する。
【０１０９】
遅延プロファイル測定部１４ｂは、第１のチャネル推定信号ＳCEO(１)に基づき、第１のＯＦＤＭ信号ＳSO(１) に対応する遅延プロファイル信号ＳDPO(１)を生成し、第２のチャネル推定信号ＳCEO(２)に基づき、第２のＯＦＤＭ信号ＳSO(２) に対応する遅延プロファイル信号ＳDPO(２)を生成する。
【０１１０】
時間遅延推定部１４ｃは、遅延プロファイル測定部１４ｂが出力するＯＦＤＭ信号ごとの遅延プロファイル信号ＳDPOに基づき、複数のＯＦＤＭ信号の多重部１３への入力タイミングの時間差を検出し、検出した時間差を、複数のＯＦＤＭ信号の多重部１３への入力タイミングの時間差を補正するための時間遅延補正信号ＳDCOとし、この時間遅延補正信号ＳDCOを、第２信号生成部１２に出力する。
【０１１１】
図９は、第１のＯＦＤＭ信号ＳSO(１) に対応する遅延プロファイルＳDPO(１)と、第２のＯＦＤＭ信号ＳSO(２) に対応する遅延プロファイルＳDPO(２)との関係を示した説明図である。なお、図９において、横軸ｔは遅延時間を示し、縦軸は電力を示す。
【０１１２】
図１０は、図９に示した、遅延プロファイルＳDPO(１)のピーク値Ｂと遅延プロファイルＳDPO(２)のピーク値Ａとを含む部分の拡大図である。なお、図１０において、横軸ｔは遅延時間を示し、縦軸は電力を示す。
【０１１３】
時間遅延推定部１４ｃは、図１０に示した、遅延プロファイルＳDPO(１)のピーク値Ｂと遅延プロファイルＳDPO(２)のピーク値Ａとのずれ時間であるΔｔを測定し、時間補償信号ＳDCO(２)＝Δｔを、第２信号生成部１２に送信する。
【０１１４】
第２信号生成部１２は、受信した時間遅延補償信号ＳDCO(２)＝Δｔに基づき、図８に示すように、第１のＯＦＤＭ信号ＳSO(１)の出力タイミングより、第２のＯＦＤＭ信号ＳSO(２)の出力タイミングをΔｔ時間だけ早くすることによって、多重部１３において多重タイミングずれが補償された送信信号ＳTXが作成されるようにする。
【０１１５】
なお、多重部１３での多重タイミングずれの補償は、送信信号ＳTXに含まれているパイロットシンボルを用いて複数回行うことができる。
【０１１６】
また、Δｔの温度変化等による変動が小さい場合は、第１信号生成部１１と第２信号生成部１２とにキャリブレーションモードを実装し、各々に最初に入力される補償信号ＳDCO(１）と補償信号ＳDCO(２）とを記憶しておき、この値で固定的に補償することも可能である。
【０１１７】
本実施例では、複数のＯＦＤＭ信号の中の所定のＯＦＤＭ信号（本実施例では、第１のＯＦＤＭ信号）に対する、複数のＯＦＤＭ信号の中から前記所定のＯＦＤＭ信号を除いた残りのＯＦＤＭ信号（本実施例では、第１のＯＦＤＭ信号）の遅延時間を検出し、検出した遅延時間を補償信号とした。
【０１１８】
しかしながら、所定のタイミング（例えば、図１０におけるタイミング０）に対する、複数のＯＦＤＭ信号のそれぞれの遅延時間（図１０における、Δｔ１時間とΔｔ２時間）を検出し、検出したそれぞれの遅延時間を補償信号としてもよい。なお、この場合、遅延時間（Δｔ１時間とΔｔ２時間）の測定は、時間遅延推定部１４ｃが行う。
【０１１９】
以上の動作により、異なる信号生成部で生成されたＯＦＤＭ信号間の遅延差を補償した信号多重が実現できる。
【０１２０】
図１１は、本発明の他の実施例における第２のＯＦＤＭ通信システムを示したブロック図である。なお、図１１において、前図と同一のものには、同一符号を附してある。
【０１２１】
図１１において、ＯＦＤＭ通信システムは、ＯＦＤＭ送信装置３と、ＯＦＤＭ受信装置４とを含む。
【０１２２】
ＯＦＤＭ送信装置３は、第１信号生成部３１と、第２信号生成部３２と、多重部１３とを含む。
【０１２３】
なお、本実施例では、複数の信号生成部として、２つの信号発生部としているが、複数の信号発生部は、２つの信号発生部に限らず、適宜変更可能である。
【０１２４】
第１信号生成部３１および第２信号生成部３２とは、図１に示した第１信号生成部１１とほぼ同様の構成である。第１信号生成部３１および第２信号生成部３２が、第１信号生成部１１と異なる点は、補償信号に基づき、ＯＦＤＭ信号を制御しない点である。
【０１２５】
ＯＦＤＭ受信装置４は、復調部４１と、送信遅延補正信号生成回路４２と、データ再生部２２とを含む。
【０１２６】
復調部４１は、多重部１３が出力する送信信号ＳTXに対応する受信信号ＳRXを受信し、受信した受信信号ＳRXをＯＦＤＭ復調し、ＯＦＤＭ復調した受信信号ＳRXを復調信号ＳDMOとして出力する。
【０１２７】
また、復調部４１は、送信遅延補正信号生成回路４２から出力される補償信号ＳDCOに基づき、ＯＦＤＭ復調した受信信号ＳRXを補正する。
【０１２８】
送信遅延補正信号生成回路４２は、復調部４１が出力する復調信号ＳDMOに基づき、復調信号ＳDMOが有する、複数のＯＦＤＭ信号の多重部１３への入力タイミングのずれを補正するための補償信号ＳDCOを生成し、生成した補償信号ＳDCOを、復調部４１に出力する。具体的には、送信遅延補正信号生成回路４２は、復調信号ＳDMOに含まれているパイロットシンボルに基づき、復調信号ＳDMOが有する、複数のＯＦＤＭ信号の多重部１３への入力タイミングのずれを補正するための補償信号を生成する。
【０１２９】
例えば、送信遅延補正信号生成回路４２は、復調信号ＳDMOが有する複数のＯＦＤＭ信号のそれぞれが含んでいるパイロットシンボルに基づき、該複数のＯＦＤＭ信号のそれぞれの遅延プロファイルを生成し、生成した複数の遅延プロファイルに基づき、該複数のＯＦＤＭ信号の多重部１３への入力タイミングのずれを補正するための補償信号を生成する。
【０１３０】
本実施例のように複数のＯＦＤＭ信号が２つのＯＦＤＭ信号である場合は、送信遅延補正信号生成回路４２は、第１のＯＦＤＭ信号ＳSO(１)が含んでいるパイロットシンボルに基づき、第１のＯＦＤＭ信号ＳSO(１)の遅延プロファイルを生成し、さらに、送信信号ＳTXが有する第２のＯＦＤＭ信号ＳSO(２)が含んでいるパイロットシンボルに基づき、第２のＯＦＤＭ信号ＳSO(２)の遅延プロファイルを生成する。
【０１３１】
送信遅延補正信号生成回路４２は、第１のＯＦＤＭ信号ＳSO(１)の遅延プロファイルと第２のＯＦＤＭ信号ＳSO(２)の遅延プロファイルとに基づき、第１のＯＦＤＭ信号ＳSO(１)と第２のＯＦＤＭ信号ＳSO(２)とのＯＦＤＭ信号の多重部１３への入力タイミングのずれ、例えば位相差のずれを補正するための補償信号を生成する。
【０１３２】
送信遅延補正信号生成回路４２は、生成した補償信号を、復調部４１に出力する。
【０１３３】
図１２は、復調部４１の一例を示したブロック図である。
【０１３４】
図１２において、復調部４１は、ＧＩ除去部４１ａと、ＦＦＴ４１ｂと、位相変動量補正部４１ｃと、パラレル／シリアル変換部４１ｄとを含む。
【０１３５】
ＧＩ除去部４１ａは、受信信号ＳRXからガードインターバルを除去し、ガードインターバルを除去した受信信号ＳRXを、ＧＩ除去部出力信号ＳDGIOとして出力する。
【０１３６】
ＦＦＴ４１ｂは、ＧＩ除去部出力信号ＳDGIOをフーリエ変換（ＯＦＤＭ変調）し、フーリエ変換したＧＩ除去部出力信号ＳDGIOを、フーリエ変換出力信号ＳFFTO(１)〜ＳFFTO(Ｍ)として出力する。
【０１３７】
位相変動量補正部４１ｃは、送信遅延補正信号生成回路４２が出力する補償信号、具体的には位相変動量補償信号ＳDCOに基づき、フーリエ変換出力信号ＳFFTO(１)〜ＳFFTO(Ｍ)において、第１のＯＦＤＭ信号ＳSO(１)と第２のＯＦＤＭ信号ＳSO(２)との多重部１３への入力タイミングのずれに起因する位相変動差を補償し、位相変動差を補償したフーリエ変換出力信号ＳFFTO(１)〜ＳFFTO(Ｍ)を、パラレル／シリアル変換部入力信号ＳPSI(１)〜ＳPSI(Ｍ)として出力する。
【０１３８】
パラレル／シリアル変換部４１ｄは、パラレル／シリアル変換部入力信号ＳPSI(１)〜ＳPSI(Ｍ)をパラレル／シリアル変換し、パラレル／シリアル変換したパラレル／シリアル変換部入力信号ＳPSI(１)〜ＳPSI(Ｍ)を、復調部出力信号ＳDMOとして出力する。
【０１３９】
図１３は、送信遅延補正信号生成回路４２の一例を示したブロック図である。
【０１４０】
図１３において、送信遅延補正信号生成回路４２は、チャネル推定値測定部４２ａと、位相変動量推定部４２ｂとを含む。
【０１４１】
チャネル推定値測定部４２ａは、図４に示したチャネル推定値測定部１４ａの構成からＦＦＴ１４ａ１を省略したものであり、送信信号が有するＯＦＤＭ信号ごとに、該ＯＦＤＭ信号に含まれるパイロットシンボルに基づき、該ＯＦＤＭ信号に対応するチャネル推定を行い、該ＯＦＤＭ信号ごとのチャネル推定の結果を、該ＯＦＤＭ信号ごとのチャネル推定信号として出力する。
【０１４２】
位相変動量推定部４２ｂは、第１のチャネル推定信号ＳCEO(１)に対する第２のチャネル推定信号ＳCEO(２)のサブキャリア毎の位相変動量Φ（Ｒ）を検出する。つまり、送信遅延補正信号生成回路４２は、複数のＯＦＤＭ信号の多重部１３への入力タイミングのずれに起因する、復調信号が有する複数のＯＦＤＭ信号の位相変動量を、チャネル推定値に基づき検出する。
【０１４３】
位相変動量推定部４２ｂにおいて検出される、第１のチャネル推定信号ＳCEO(１)に対する第２のチャネル推定信号ＳCEO(２)のサブキャリア毎の位相変動量Φ（Ｒ）は、第２のＯＦＤＭ信号ＳSO(２)の位相変動量補償信号ＳDCO(２)として、復調部４１、具体的には位相変動量補正部４１ｃに出力される。
【０１４４】
次に、動作を説明する。なお、以下では、図１に示した実施例と異なる点、具体的には、位相変動量推定部４２ｂと、復調部４１とを中心に動作を説明する。
【０１４５】
図１４および図１５は、第１のＯＦＤＭ信号ＳSO(１)と第２のＯＦＤＭ信号ＳSO(２)との多重部１３への入力タイミングのずれを、周波数軸上で補償する動作を説明するための説明図である。なお、図１４および図１５において、前図と同一のものには、同一符号を附してある。
【０１４６】
第１信号生成部３１から出力される第１のＯＦＤＭ信号ＳSO(１)と第２信号生成部３２から出力される第２のＯＦＤＭ信号ＳSO(２)とが同じタイミングで出力されても、第１のＯＦＤＭ信号ＳSO(１)が伝送されるケーブル線の長さと、第２のＯＦＤＭ信号ＳSO(２)が伝送されるケーブル線の長さとの違い等により、第１のＯＦＤＭ信号ＳSO(１)が多重部１３に入力されるタイミングと、第２のＯＦＤＭ信号ＳSO(２)が多重部１３に入力されるタイミングとが異なる場合がある。
【０１４７】
例えば、第２のＯＦＤＭ信号ＳSO(２)が多重部１３に入力されるタイミングが、第１のＯＦＤＭ信号ＳSO(１)が多重部１３に入力されるタイミングより、Δｔ時間遅れる場合、多重部１３における多重タイミングがΔｔ時間ずれる。位相変動量推定部４２ｂは、図３に示した遅延プロファイル測定部１４ｂおよび時間遅延推定部１４ｃが行う動作と同様の動作を行うことによって、このΔｔ時間を推定する。
【０１４８】
この場合、受信信号ＳRXにおいて、第１のＯＦＤＭ信号ＳSO(１)に対する第２のＯＦＤＭ信号ＳSO(２)のサブキャリア毎の位相差Φ（Ｒ)（ただし、Ｒは、Ｍ以下の整数）は、図１４に示すように、Φ(Ｒ)＝Δｔ×（ｆ（Ｒ）−ｆｃ）になる。ただし、ｆｃはサブキャリア周波数の中心周波数であり、ｆ（Ｒ）はサブキャリアＲの周波数である。
【０１４９】
位相変動量推定部４２ｂは、推定したΔｔを用いて、第１のＯＦＤＭ信号ＳSO(１)に対する第２のＯＦＤＭ信号ＳSO(２)のサブキャリア毎の位相差Φ（Ｒ)を、上述した演算式に基づき計算する。
【０１５０】
位相変動量推定部４２ｂは、第１のＯＦＤＭ信号ＳSO(１)に対する第２のＯＦＤＭ信号ＳSO(２)のサブキャリア毎の位相差Φ（Ｒ)を、第２のＯＦＤＭ信号ＳSO(２)の位相変動量補償信号ＳDCO(２)として、位相変動量補正部４１ｃに出力する。
【０１５１】
位相変動量補正部４１ｃは、第２のＯＦＤＭ信号ＳSO(２)の位相変動量補償信号ＳDCO(２)の逆特性を、図１５に示すように、第２のＯＦＤＭ信号ＳSO(２)に対するフーリエ変換出力信号ＳFFTO(１)〜ＳFFTO(Ｍ)のそれぞれ（サブキャリア毎）に乗算し、第１のＯＦＤＭ信号ＳSO(１)と第２のＯＦＤＭ信号ＳSO(２)との多重部１３への入力タイミングのずれに起因する位相変動差を補償する。
【０１５２】
なお、位相変動量推定部４２ｂは、第１のＯＦＤＭ信号ＳSO(１)の位相変動量補償信号ＳDCO(１)を出力するようにしてもよい。つまり、位相変動量推定部４２ａは、第１のＯＦＤＭ信号ＳSO(１)の位相を位相基準値とし、この位相基準値に対する、複数のＯＦＤＭ信号のチャネル推定信号のそれぞれのサブキャリアごとの位相変動量を検出し、検出したそれぞれの位相変動量を補償信号位相変動量として出力するようにしてもよい。
【０１５３】
また、本実施例では、復調部４１において、第１のＯＦＤＭ信号ＳSO(１)と第２のＯＦＤＭ信号ＳSO(２)との多重部１３への入力タイミングのずれに起因する位相変動差を補償する例を示したが、復調部４１において、第１のＯＦＤＭ信号ＳSO(１)と第２のＯＦＤＭ信号ＳSO(２)との多重部１３への入力タイミングのずれに起因する時間差を補正するようにしてもよい。
【０１５４】
この場合、送信遅延補正信号生成回路４２内の位相変動量推定部４２ｂのかわりに、図３に示した遅延プロファイル推定部１４ｂおよび時間遅延推定部１４ｃとを用いればよい。
【０１５５】
図１６は、送信遅延補正信号生成回路４２内の位相変動量推定部４２ｂのかわりに、図３に示した遅延プロファイル推定部１４ｂおよび時間遅延推定部１４ｃとを用いた場合の復調部４１の一例を示した図である。なお、図１６において、前図と同一のものには同一番号を附してある。
【０１５６】
図１６において、時間遅延補償部４１ｅは、送信遅延補正信号生成回路１４から出力される補償信号に基づき、受信信号ＳRXに含まれるＯＦＤＭ信号の出力タイミングを調整することによって、第１のＯＦＤＭ信号ＳSO(１)と第２のＯＦＤＭ信号ＳSO(２)との多重部１３への入力タイミングのずれに起因する時間差を補正する。
【０１５７】
以上の動作により、異なる信号生成部で生成されたＯＦＤＭ信号間の遅延差を受信装置において補償することができる。
【０１５８】
なお、図１に示した送信遅延補正信号生成回路１４内の遅延プロファイル推定部１４ｂおよび時間遅延推定部１４ｃのかわりに、図１３に示した位相変動量推定部４２ｂを用いてもよい。この場合、図２に示した送信系列作成部１１ａは、送信遅延補正信号生成回路４２から出力される位相変動量補償信号の逆特性を、シンボルのサンプルごとに乗算することにより、第１のＯＦＤＭ信号ＳSO(１)と第２のＯＦＤＭ信号ＳSO(２)との多重部１３への入力タイミングのずれに起因する位相変動差を補償するようにすればよい。
【０１５９】
各実施例によれば、複数のＯＦＤＭ信号の多重部への入力タイミングのずれを、ＯＦＤＭ送信装置において、またはＯＦＤＭ受信装置において、補償することができ、複数のＯＦＤＭ信号の多重部への入力タイミングのずれに基づく通信品質の低下を防止することが可能となる。
【０１６０】
また、多重化された複数のＯＦＤＭ信号に含まれるパイロットシンボルに基づき、複数のＯＦＤＭ信号の多重部への入力タイミングのずれを補正するための補正信号を生成するので、既存のパイロットシンボルを用いて補正信号を生成することが可能となる。
【０１６１】
また、上記の各実施例では、複数の信号生成部のそれぞれが、パイロットシンボルを含むＯＦＤＭ信号を出力する例を示したが、複数の信号生成部のそれぞれが出力する信号は、パイロットシンボルを含むＯＦＤＭ信号に限るものではない。例えば、複数の信号生成部のそれぞれが出力する信号は、パイロットシンボルを含む信号でよい。
【０１６２】
また、上記の各実施例では、複数の信号生成部のそれぞれが、複数のサブキャリアを有するＯＦＤＭ信号を出力する例を示したが、複数の信号生成部のそれぞれが出力する信号は、ＯＦＤＭ信号に限るものではなく、適宜変更可能である。
【０１６３】
したがって、本発明によれば、複数の信号の多重部への入力タイミングのずれを、送信装置において、または受信装置において、補償することができ、複数の信号の多重部への入力タイミングのずれに基づく通信品質の低下を防止することが可能となる。
【０１６４】
また、多重化された複数の信号に含まれるパイロットシンボルに基づき、複数の信号の多重部への入力タイミングのずれを補正するための補正信号を生成するので、既存のパイロットシンボルを用いて補正信号を生成することが可能となる。
【０１６５】
以上説明した各実施例において、図示した構成は単なる一例であって、本発明はその構成に限定されるものではない。
【図面の簡単な説明】
【０１６６】
【図１】本発明の一実施例のＯＦＤＭ通信システムを示したブロック図である。
【図２】図１に示した信号生成部１１の一例を示したブロック図である。
【図３】図１に示した送信遅延補正信号生成回路１４の一例を示したブロック図である。
【図４】図３に示したチャネル推定値測定部１４ａの一例を示したブロック図である。
【図５】図３に示した遅延プロファイル測定部１４ｂの一例を示したブロック図である。
【図６】図５に示した０補間部１４ｂ２の処理を説明するための説明図である。
【図７】図１に示したＯＦＤＭ通信システムの動作を説明するための説明図である。
【図８】図１に示したＯＦＤＭ通信システムの動作を説明するための説明図である。
【図９】図３に示した時間遅延測定部１４ｃの動作を説明するための説明図である。
【図１０】図９の一部拡大図である。
【図１１】本発明の他の実施例のＯＦＤＭ通信システムを示したブロック図である。
【図１２】図１１に示した復調部４１の一例を示したブロック図である。
【図１３】図１１に示した送信遅延補正信号生成回路４２の一例を示したブロック図である。
【図１４】図１１に示したＯＦＤＭ通信システムの動作を説明するための説明図である。
【図１５】図１１に示したＯＦＤＭ通信システムの動作を説明するための説明図である。
【図１６】図１１に示した復調部４１の他の例を示したブロック図である。
【図１７】従来のＯＦＤＭ通信システムを示したブロック図である。
【図１８】従来のＯＦＤＭ通信システムを示したブロック図である。
【図１９】図１８に示した従来のＯＦＤＭ通信システムの動作を説明するための説明図である。
【図２０】図１８に示した従来のＯＦＤＭ通信システムの動作を説明するための説明図である。
【符号の説明】
【０１６７】
１        ＯＦＤＭ送信装置
１１      第１信号生成部
１１ａ    送信系列作成部
１１ｂ    シリアル／パラレル変換部
１１ｃ    ＩＦＦＴ
１１ｄ    ＧＩ付加部
１２      第２信号生成部
１３      多重部
１４      送信遅延補正信号生成回路
１４ａ    チャネル推定値測定部
１４ａ１  ＦＦＴ
１４ａ２  パラレル／シリアル変換部
１４ｂ    遅延プロファイル測定部
１４ｂ１  シリアル／パラレル変換部
１４ｂ２  ０補間部
１４ｂ３  ＩＦＦＴ
１４ｃ    時間遅延推定部
２        ＯＦＤＭ受信装置
２１      復調部
２２      データ再生部
３        ＯＦＤＭ送信装置
３１      第１信号生成部
３２      第２信号生成部
４        ＯＦＤＭ受信装置
４１      復調部
４１ａ    ＧＩ除去部
４１ｂ    ＦＦＴ
４１ｃ    位相変動量補正部
４１ｄ    パラレル／シリアル変換部
４１ｅ    時間遅延補償部
４２      送信遅延補正信号生成回路
４２ａ    チャネル推定値測定部
４２ｂ    位相変動量推定部
【図１】
2005033708.tif 000003
【図２】
2005033708.tif 000004
【図３】
2005033708.tif 000005
【図４】
2005033708.tif 000006
【図５】
2005033708.tif 000007
【図６】
2005033708.tif 000008
【図７】
2005033708.tif 000009
【図８】
2005033708.tif 000010
【図９】
2005033708.tif 000011
【図１０】
2005033708.tif 000012
【図１１】
2005033708.tif 000013
【図１２】
2005033708.tif 000014
【図１３】
2005033708.tif 000015
【図１４】
2005033708.tif 000016
【図１５】
2005033708.tif 000017
【図１６】
2005033708.tif 000018
【図１７】
2005033708.tif 000019
【図１８】
2005033708.tif 000020
【図１９】
2005033708.tif 000021
【図２０】
2005033708.tif 000022